(57)【要約】【課題】  入浴者の生理負担が少なく、仰臥姿勢がとれると共に、入浴姿勢に自由度があり、安楽な姿勢でゆったりと入浴できる浴槽を提供する。【解決手段】  浴槽本体が、底面部１５と、その周囲に立設された側壁部１４と、この側壁部の上縁に形成された框部１７とよりなる浴槽において、浴槽本体の長手方向の一端の前記側壁部に、前記底面部から連なる第１の傾斜面１３１と、この第１の傾斜面の上縁と前記框部との間に連なり第１の傾斜面よりも傾斜の緩やかな第２の傾斜面１３２とよりなる背もたれ部１３が形成され、前記底面部と前記第１の傾斜面との間の隅部には、この隅部を回動軸１１３として底面部と第１の傾斜面との間で回動可能で、底面部側に配置したときには浴槽座板となり、第１の傾斜面側に配置したときには背もたれ板となる回動板１１が配置されていることを特徴とする浴槽１。【選択図】  図１
2006141649.tif 000002
【特許請求の範囲】
【請求項１】
浴槽本体が、底面部と、その周囲に立設された側壁部と、この側壁部の上縁に形成された框部とよりなる浴槽において、浴槽本体の長手方向の一端の前記側壁部に、前記底面部から連なる第１の傾斜面と、この第１の傾斜面の上縁と前記框部との間に連なり第１の傾斜面よりも傾斜の緩やかな第２の傾斜面とよりなる背もたれ部が形成され、前記底面部と前記第１の傾斜面との間の隅部には、この隅部を回動軸として底面部と第１の傾斜面との間で回動可能で、底面部側に配置したときには浴槽座板となり、第１の傾斜面側に配置したときには背もたれ板となる回動板が配置されていることを特徴とする浴槽。
【発明の詳細な説明】
【技術分野】
【０００１】
本発明は、健常者や高齢者等が安楽な姿勢でゆったりと入浴できる浴槽に関するものである。
【背景技術】
【０００２】
従来、健常者や高齢者等が安楽な姿勢でゆったりと入浴できる浴槽については、腰を底につけ足を投げ出した姿勢で全身入浴できる浴槽として、入浴者の背面側の側壁が傾斜され、前面の底面に足受けが設けられた浴槽が知られている。
【０００３】
然しながら、このような従来の浴槽は、上記側壁の底面からの傾斜が５５〜６０°のものであって、どちらかというと垂直に近い傾斜をもつ浴槽であった。従って、仰臥姿勢で入浴する場合、入浴者が肩辺まで浴槽内の湯水内に浸かるように浴槽内に湯水を満たすと浴槽内の湯水の水深が深くなり、水圧により入浴者の血圧が急上昇し、特に高齢者、高血圧患者にとり危険であるという問題があった。
【０００４】
この問題を解決する為、前端の背面は傾斜され、背面の底面からの傾斜角度を２０〜４５°とすることにより、入浴者が肩まで湯水に浸かっても血圧が急上昇する恐れがなく、仰臥姿勢でゆったりと入浴できる様にした浴槽の提案がなされている（例えば、特許文献１参照）。
【０００５】
特許文献１記載の浴槽は、更に、足受け、枕、アームレストなどの設置と適正位置についての提案がなされ、比較的安定した状態で、適度に浮力感を感じリラックスして入浴できる工夫がなされている。
【０００６】
すなわち、この浴槽は、前端の背面は傾斜され、背面の底面からの傾斜角度が緩やかであるので、浴槽内に湯水を３０〜４０ｃｍの深さに入れることにより入浴者が胸骨又は肩辺まで浸かっても水圧の影響が少なく、入浴者の生理負担が少なく、仰臥姿勢でゆったりと入浴できるというものであった。
【０００７】
しかし、特許文献１記載の浴槽には、仰臥姿勢に合わせた専用の形状の浴槽であるため、浴槽に入ったときの通常入浴時の姿勢では背もたれが使えず、自由度のある入浴姿勢が取り難いという問題点があった。
【０００８】
【特許文献１】特開平１１−２１６０７６号公報
【発明の開示】
【発明が解決しようとする課題】
【０００９】
本発明の目的は、上記従来の問題点に鑑み、入浴者の生理負担が少なく、仰臥姿勢がとれると共に、入浴姿勢に自由度があり、安楽な姿勢でゆったりと入浴できる浴槽を提供することにある。
【課題を解決するための手段】
【００１０】
本発明は、上記目的を達成するためになされたものであり、浴槽本体が、底面部と、その周囲に立設された側壁部と、この側壁部の上縁に形成された框部とよりなる浴槽において、浴槽本体の長手方向の一端の前記側壁部に、前記底面部から連なる第１の傾斜面と、この第１の傾斜面の上縁と前記框部との間に連なり第１の傾斜面よりも傾斜の緩やかな第２の傾斜面とよりなる背もたれ部が形成され、前記底面部と前記第１の傾斜面との間の隅部には、この隅部を回動軸として底面部と第１の傾斜面との間で回動可能で、底面部側に配置したときには浴槽座板となり、第１の傾斜面側に配置したときには背もたれ板となる回動板が配置されていることを特徴とする浴槽である。
【００１１】
本発明において、浴槽本体は、底面部と、その周囲に立設された側壁部と、この側壁部の上縁に形成された框部とよりなる。
上記の浴槽本体の材質は、従来から浴槽の材質に使用されているものが使用できるものであって、特に限定されないが、例えば、ＦＲＰ、アクリル樹脂等の合成樹脂や木材やホウロウ引き鋳鉄、ステンレス鋼等の金属や人造大理石等の無機質材料等が使用できる。
【００１２】
浴槽本体には、第１の傾斜面とこの第１の傾斜面よりも傾斜の緩やかな第２の傾斜面とよりなる背もたれ部が形成され、一方、浴槽本体内には、底面部と第１の傾斜面との間の隅部を中心に底面部と第１の傾斜面との間で回動可能な回動板が配置されている。
この回動板を浴槽本体の底面部側に倒すことにより、回動板上面を浴槽座面に、また、第１の傾斜面または第２の傾斜面を浴槽背もたれ面にすることができる。
一方、回動板を第１の傾斜面側に立掛けることにより、底面部上面を浴槽座面に、また、回動板の背面を浴槽背もたれ面にすることができる。
本発明における回動板は、平板形状でも良く、屈折形状にして、底面部側に配置したときに、臀部の滑り込み防止の傾斜を形成させる様にしても良い。回動板の材質は、常温から５０℃程度の範囲で強度に優れ、可撓性があり、比較的軽量であるが水より大きな比重をもつ材質が好ましく用いられる。
回動板を屈折形状にして、臀部の滑り込み防止の傾斜を形成させる場合には、傾斜部に人が乗っても破損せず、変形しても弾性的に原形に戻る様な材質が求められる。このような材質であれば、特に限定されないが、例えば、ＦＲＰ、無機材充填アクリル樹脂等の合成樹脂や木材やホウロウ引き鋳鉄、ステンレス鋼等の金属や人造大理石等の無機質材料等が使用できる。また、ポリエチレン、ポリプロピレン樹脂やその発泡体をステンレス鋼等の金属や強化プラスチックで補強しても良い。さらに、金属に合成樹脂の被覆を施しても良い。
【００１３】
上記回動板を第１の傾斜面側に配置したとき、この上端を第２の傾斜面側の框部より支持する、支持具を框上に設けても良い。支持具は、後に詳述する様に、その固定部を框上に固定し、回動支持部を回動板側と固定部側に回動可能な構造とする。固定はボルトなどによる方法もあるが、浴槽本体に孔を開けたりしないで済む方法として接着が望ましい。回動支持部は、ヒンジ（蝶番）により回動する。
回動板を支持するときには、その上面が回動支持部および固定部と同一平面を形成する様、形状が決められることが、美観上、望ましい。また、回動板を底面部に移動し、緩やかな角度の第２の傾斜面を背もたれにして入浴するときには、支持具を第２の傾斜面上端側のヘッドレストとして機能させる様にしても良い。ゆったり入浴姿勢ときのヘッドレストとして機能させるために、第２の傾斜面の延長に位置する様に、形状が決められることが望ましい。            
【００１４】
支持具の材質は、一般に、常温から５０℃程度の範囲で強度に優れ、可撓性があり、比較的軽量な材質が用いられる。第２の傾斜面を背もたれ部とする場合に、ヘッドレストとして機能させる場合は、人と接触する部分は、触感が柔らかく、弾性的な材質が求められる。このような材質であれば、特に限定されないが、例えば、ＦＲＰ、無機材充填アクリル樹脂等の合成樹脂や木材が使用できるし、これにポリエチレン、ポリプロピレン樹脂やその発泡体を、一部または全体に被覆しても良い。また、ポリエチレン、ポリプロピレン樹脂やその発泡体をステンレス鋼等の金属や強化プラスチックなどで補強しても良い。さらに、金属に合成樹脂の被覆を施しても良い。ヒンジ部も同一材質で一体とすることが出来る、ポリエチレン、ポリプロピレン樹脂が好ましく用いられる。
【００１５】
本発明の回動板の回動軸は、底面部と第1の傾斜面との間の隅部に位置し、浴槽側面内側に設けられた軸受けに設置される。回動軸は、軸受けに設置した後これに回動板を接合しても良いし、予め回動板に回動軸を固定しておいて、これを軸受けに設置しても良い。回動板には、回動するとき（すなわち、倒したり、起したりするとき）の水圧を小さくするために、スリットもしくは、穴を設け、噴流の噴出し口を逃げるための穴も設けても良い。
浴槽の側壁部に小孔を設け、水密処理を行なって、軸受けを側壁部にナットなどで固定し、これに回動軸を通しても良い。
【００１６】
本発明の浴槽においては、回動板を浴槽本体の第１の傾斜面側に配置することにより、回動板の背面が比較的傾斜角の大きい背もたれとなり、通常姿勢で入浴することができる。また、回動板を浴槽本体の底面部側に配置することにより、回動板上面が浴槽座面に、比較的傾斜角の小さい第２の傾斜面が浴槽背もたれになり、仰臥姿勢で入浴することができる。
【００１７】
浴槽本体の第２の傾斜面は、仰臥姿勢で入浴するときの背もたれ部として使用されるため、その浴槽本体の底面部に対する傾斜角度は２０〜４５°が好ましい。傾斜角度が２０°未満の場合には、入浴者の胸部が浮いて頭部が沈む結果、姿勢が不安定になり、耳に水が入る恐れもあり、更には、浴槽の長さが過大となって経済的ではない。
【００１８】
逆に傾斜角度が４５°を越える場合には、背面の底面からの傾斜が垂直に近い傾斜となり、入浴者が肩辺まで浴槽内の湯水内に浸かるように浴槽内に湯水を満たすと浴槽内の湯水の水深が深くなり、水圧により入浴者の血圧が急上昇し、特に高齢者、高血圧患者にとり危険であり、好ましくない。
【発明の効果】
【００１９】
本発明は、浴槽本体が、底面部と、その周囲に立設された側壁部と、この側壁部の上縁に形成された框部とよりなる浴槽において、浴槽本体の長手方向の一端の前記側壁部に、前記底面部から連なる第１の傾斜面と、この第１の傾斜面の上縁と前記框部との間に連なり第１の傾斜面よりも傾斜の緩やかな第２の傾斜面とよりなる背もたれ部が形成され、前記底面部と前記第１の傾斜面との間の隅部には、この隅部を回動軸として底面部と第１の傾斜面との間で回動可能で、底面部側に配置したときには浴槽座板となり、第１の傾斜面側に配置したときには背もたれ板となる回動板が配置されていることを特徴とする浴槽であるので、入浴者の生理負担が少なく、仰臥姿勢がとれると共に、入浴姿勢に自由度があり、安楽な姿勢でゆったりと入浴できる浴槽を提供できる。
【発明を実施するための最良の形態】
【００２０】
以下、本発明の浴槽の実施の形態を添付図面に基づいて説明する。
【００２１】
図１は、本発明の浴槽の一例を示す斜視図であり、図１（ａ）は、回動板１１を底面部１５側に配置した状態を示し、図１（ｂ）は、回動板１１を第１の傾斜面１３１側に配置した状態を示す斜視図である。また、図５は、その長手方向の断面形状を示す縦断面図である。
浴槽本体１は、底面部１５と、その周囲に立設された側壁部１４と、この側壁部の上縁に形成された框部１７とよりなり、浴槽本体１の長手方向の一端の側壁部には、底面部１５から連なる第１の傾斜面１３１と、この第１の傾斜面の上縁と框部１７との間に連なり第１の傾斜面１３１よりも傾斜の緩やかな第２の傾斜面１３２とよりなる背もたれ部１３が形成されている。
【００２２】
浴槽本体１の内側には、底面部１５と第１の傾斜面１３１との間の隅部１５ａの両端に配置された軸受け１８に回動軸１１３が軸支され、これを中心に底面部１５と第１の傾斜面１３１との間で回動可能な回動板１１が配置されている。
また、背もたれ部１３の上方の框部１７には、固定部１２１と回動部１２２よりなる回動板支持具１２が配置されており、回動部１２２は、接合部である弾性ヒンジ１２３を中心に回動可能で、回動板１１を背もたれ部１３側に配置し回動部１２２を浴槽内側に倒したとき、回動部１２２に設けた凹部１２２ｂが背もたれ部１３の上縁に嵌合して背もたれ部１３を係止するようになっている。
尚、回動板支持具１２は、その回動部１２２を固定部１２１上に折りたたんだとき、入浴者のヘッドレストとして機能するようになっている。
【００２３】
図１（ａ）は、回動板１１を底面部１５側に配置した状態を示しており、回動板１１は浴槽座板となり、底面１５に対する傾斜の緩やかな第１の傾斜面１３１と第２の傾斜面１３２が背もたれ部１３となる。
また、図１（ｂ）は、回動板１１を第１の傾斜面１３１側に配置した状態を示しており、回動板１１は、框部より回動板支持具１２支持されて、底面１５に対する傾斜角度が大きい背もたれ板となる。
この様に、回動板１１を回動軸１１３を中心として回動することにより、背もたれ角度を可変にすることが出来る。
尚、浴槽本体１の背もたれ部１３が形成された側壁部とは反対側の側壁部下端には、側壁部の一部が浴槽内側に膨出して足受け１６が形成されており、浴槽内での入浴者の臀部の滑り込みなどを足で支えることができるようになっている。
また、浴槽本体１、回動板１１の材質はＦＲＰである。
【００２４】
図２は、本発明の浴槽に用いる回動板の一例を示す斜視図であり、図３は、回動板の回動軸を軸支する回動板の軸受けの一例を示す斜視図である。
図２において、回動板１１は、くの字状に屈折した形状とされており、一端の両側には回動軸１１３が設けられており、回動軸１１３の中心から反対側の端面までの長さは、浴槽本体１の底面部１５から框部１７までの高さと略同じであり、回動軸１１３が設けられた側の座面１１２と浴槽上面側に屈折した座面１１１とより構成されている。座面１１１は、回動板１１を浴槽本体１の底面部１５側に配置したときに、臀部の滑り込み防止の傾斜を形成する様にされており、また、座面１１２の回動軸１１３中心から座面１１１との屈折部までの長さは、浴槽本体１の第１の傾斜面１３１のその下端から第２の傾斜面１３２との屈折部までの長さよりも長く形成されている。
【００２５】
図３において、回動板１１の回動軸を支軸する軸受け１８は、支持部１８２と固定部１８１よりなり、支持部１８２と固定部１８１には、固定部１８１を支持部１８２にねじ１８３で取り付けたとき、回動板１１の回動軸１１３を回動自在に支軸する切り欠き１８１ａ、１８２ａが形成されている。
支持部１８２は、浴槽本体１の底面部１５と第１の傾斜面１３１との隅部１５ａの両端の側壁部１４下端の垂直面１４ａに接着により固定されるもので、この隅部１５ａの両端の側壁部１４下端の垂直面１４ａは、支持部１８２の厚み分を浴槽外側に突き出した形状に形成されており、支持部１８２をこの垂直面１４ａに取り付けたとき、支持部１８２が側壁部１４の表面から大きく出っ張らないようになっている。
回動板１１の回動軸１１３は、支持部１８２の切り欠き１８２ａに取り付けた後、固定部１８１を支持部１８２にねじ止めすることにより、軸受け１８に回動可能に固定される。
【００２６】
図４は、本発明の浴槽に用いる回動板の支持具の一例を示す斜視図であり、図４（ａ）は、支持具１２を折りたたんでヘッドレストとして機能させた状態を示し、図４（ｂ）は、支持具１２により回動板１１を支持するため回動部１２２を浴槽内側に倒した状態を示す。
支持具１２は、浴槽本体１の框１７の上に接着固定される固定部１２１と、弾性ヒンジ１２３を介してこの固定部１２１と回動自在な回動支持部１２２とよりなり、弾性ヒンジ１２３により相対するそれぞれの端面には傾斜面１２１ａ，１２２ａが形成されており、さらに、回動支持部１２２には、回動板１１の端面に係合する凹部１２２ｂが形成されている。
固定部１２１と回動支持部１２２の傾斜面１２１ａ，１２２ａは、略同一傾斜角度で、図４（ａ）のように、支持具１２を折りたたんだ状態では、同一傾斜面となり、図４（ｂ）のように、回動部１２２を浴槽内側に倒した状態では、傾斜面１２１ａ，１２２ａが当接して固定部１２１と回動支持部１２２が略一直線状に展開されるようになっている。
傾斜面１２１ａ，１２２ａの傾斜角度は、ヘッドレストとして機能させることができれば、任意の角度でよいが、浴槽本体１の第２の傾斜面１３２と略同じ角度に形成すれば、連続的な傾斜面となり、背もたれたときの違和感を少なくすることができる。
【００２７】
図６は、回動板１１を立て入浴者２が通常姿勢をとっている場合を示す長手方向の縦断面図である。
入浴者２が、通常入浴時の姿勢で入浴する場合には、比較的傾斜角の大きい回動板１１を用いて背もたれ板とする。回動板１１の上縁は、回動支持部１２１が浴槽側に倒されて、これによって支持されている。１６は足受けであり、腰を底につけ足を投げ出した姿勢でリラックスした状態で入浴することが出来る。
【００２８】
図７は、回動板１１を浴槽本体１の底面部１５側に倒し、支持具１２を折りたたんで、入浴者２が仰臥姿勢をとっている場合を示す長手方向の縦断面図である。
仰臥姿勢で入浴する場合には、第１の傾斜面１３１と傾斜の緩やかな第２の傾斜面１３２とよりなる背もたれ部１３を背もたれとして用いる。尚、背もたれ部１３は、第１の傾斜面１３１と第２の傾斜面１３２とより構成されているが、入浴者２の好みによって、第１の傾斜面１３１と第２の傾斜面１３２の何れか一方のみ、または、両方を背もたれとして使用することができる。
回動板１１は、屈折形状に形成されており、その前方の座面１１１が回動軸１１３側の座面１１２よりも上方に屈折して傾斜しているので、仰臥姿勢で入浴しても、入浴者２の臀部の滑り込みを防止することができる。
また、支持具１２の回動支持部１２２が、固定部１２１に重ね合わされて、傾斜面１２１ａ，１２２ａが、ヘッドレストとして用いられる。
【００２９】
仰臥姿勢で入浴する場合には、入浴者が肩辺まで浴槽内の湯水内に浸かるように浴槽内に湯水を満たしても、浴槽内の湯水の水深が深くなく、水圧により入浴者の血圧が急上昇する危険性を低減できる。特に高齢者、高血圧患者にとり好ましい。
【００３０】
この様に、本発明の浴槽は、入浴者の生理負担が少なく、仰臥姿勢がとれると共に、入浴姿勢に自由度があり、安楽な姿勢でゆったりと入浴できる浴槽である。
【産業上の利用可能性】
【００３１】
本発明の活用例としては、健常者や高齢者等が、腰を底につけ足を投げ出し安楽な姿勢でゆったりと全身入浴できる浴槽として活用できる。
【図面の簡単な説明】
【００３２】
【図１】本発明の浴槽の一例を示す斜視図。
【図２】本発明の浴槽に用いる回動板の一例を示す斜視図。
【図３】本発明の浴槽に用いる回動板の軸受けの一例を示す斜視図。
【図４】本発明の浴槽に用いる回動板の支持具の一例を示す斜視図。
【図５】図１の長手方向の縦断面を示す断面図。
【図６】図５に示す浴槽において、回動板を第１の傾斜面側に配置し、入浴者が通常姿勢をとっている場合を示す長手方向の縦断面図。
【図７】図５に示す浴槽において、回動板を底面部側に配置し、入浴者が仰臥姿勢をとっている場合を示す長手方向の縦断面図。
【符号の説明】
【００３３】
１：浴槽本体
１１：回動板
１１１：座面（傾斜角をもつ）
１１２：座面
１１３：回動軸
１２：支持具
１２１：固定部
１２２：回動支持部（ヘッドレスト）
１２３：弾性ヒンジ
１３：背もたれ部
１３１：第１の傾斜面
１３２：第２の傾斜面
１４：側壁部
１５：底面
１６：足受け
１７：框部
１８：軸受け
２：入浴者
【図１】
2006141649.tif 000003
【図２】
2006141649.tif 000004
【図３】
2006141649.tif 000005
【図４】
2006141649.tif 000006
【図５】
2006141649.tif 000007
【図６】
2006141649.tif 000008
【図７】
2006141649.tif 000009